(57)【要約】      （修正有）【課題】缶形状やボトル形状の容器の如何に拘らず、その上辺に比較的大きな取出し口が極めて容易且つ適確に開口され、軽量で飲用その他の使用で便利な合成樹脂製容器を提供する。【解決手段】缶形状もしくはボトル形状をなした容器本体１の天頂面に一定広さの水平面を備え、且つ該水平面と直交する垂直方向に対してプルタブ２を立設させると共に、該プルタブを引張るさいにプルタブが容器本体から引き離されて水平な天頂面上に取出し口が形成されるものとなす容器に於いて、容器本体及びプルタブを合成樹脂で一体成形すると共に、プルタブ下面部に水平な天頂面の片端から対称の他端に向かう範囲でピンチオフによる比較的短い長さで板状の帯体３と、及び長い範囲で輪状に取囲まれるＶ溝４を形成させると共に、該Ｖ溝の下方部に容器本体内容物の取出し口が形成されるものとなす。【選択図】図１
2005170392.tif 000002
【特許請求の範囲】
【請求項１】
缶形状もしくはボトル形状をなした容器本体の天頂面に一定広さの水平面を備え、且つ該水平面と直交する垂直方向に対してプルタブを立設させると共に、該プルタブを引張るさいにプルタブが容器本体から引き離されて水平な天頂面上に取出し口が形成されるものとなす容器に於いて、容器本体及びプルタブを合成樹脂で一体成形すると共に、プルタブ下面部に水平な天頂面の片端から対称の他端に向かう範囲でピンチオフによる比較的短い長さで板状の帯体と、及び長い範囲で輪状に取囲まれるＶ溝を形成させると共に、該Ｖ溝の下方部に容器本体内容物の取出し口が形成されるものとなしたことを特徴とするブロー成形容器。
【請求項２】
帯体の大きさは肉厚寸法を凡そ０．２ｍｍ〜０．５ｍｍで、且つその始端と後端までの長さ寸法を凡そ３ｍｍ〜２０ｍｍとなさしめたことを特徴とする請求項１記載のブロー成形容器。
【請求項３】
プルタブの片端寄りに指挿入孔を設け、該指挿入孔の下方箇所に対しピンチオフによる板状の帯体が形成されるものとなしたことを特徴とする請求項１又は２記載のブロー成形容器。
【請求項４】
取出し口が帯体の後端を頂点とする概略三角形状の開放孔に形成されることを特徴とする請求項１，２又は３記載のブロー成形容器。
【発明の詳細な説明】
【技術分野】
【０００１】
本発明は、食品等の容器として使用されるブロー成形の容器に関する。
【背景技術】
【０００２】
実開昭５３−４５１４７号公報には胴部よりも細い首部に環状狭窄部を設け、その上部に設けられている把手を引張って上記環状狭窄部から引きちぎって開口する細口瓶状のブロー成形容器が提案されている。また実開昭５８−５４３３２号公報には同じく細長い首部に環状折れ込み部をその中心軸が首部の中心軸と偏心した位置に設けると共に、環状折れ込み部の最凹所に厚手の摘みを設け、それを引張って開口するブロー成形容器の提案がなされている。
【０００３】
これらは何れも細長い首部を環状に取巻く溝状の凹部であって、それより上方に取付けられた把手あるいは摘みを引張ることにより、その直下にある凹状の最深部に応力を集中させ、そこからの引き裂きを可能にするものである。
【０００４】
而して、引き裂きを生じさせる切り込み溝の深度を深くしない限り、引きちぎりに力を必要とし、子供や老人にとっては開封しにくいという問題があった。また、スムーズな開封ができないと、開封しようとしている間に体温で内容物が溶けてしまい、開封の瞬間に内容液が飛散する問題も残っている。さらに、薄肉化は達成できたとしても、実際の使用に至るまでの間に何らかの応力が作用して不用意に開封してしまったり、開封しないままでもピンホールが発生したりして包装容器としての保護機能を損う問題があり、これらの問題を解決するための特開２０００−３１８７２１号の提案もある。
【特許文献１】実開昭５３−４５１４７号
【特許文献１】実開昭５８−５４３３２号
【特許文献１】特開２０００−３１８７２１号
【発明の開示】
【発明が解決しようとする課題】
【０００５】
本発明は上記したボトル形状の細首容器に限らず、缶形状をなした容器の双方に対しても、その比較的大きな取出し口が極めて容易且つ適確に開口され、軽量で飲用その他などの使用が簡便に行えることを可能にした合成樹脂製容器を市販に供せんとするものである。
【課題を解決するための手段】
【０００６】
本発明は、缶形状もしくはボトル形状をなした容器本体の天頂面に一定広さの水平面を備え、且つ該水平面を直交する垂直方向に対してプルタブを立設させると共に、該プルタブを引張るさいにプルタブが容器本体から引き離されて水平な天頂面上に取出し口が形成されるものとなす容器に於いて、容器本体及びプルタブを合成樹脂で一体成形すると共に、プルタブ下面部に水平な天頂面の片端から対称の他端に向かう範囲でピンチオフによる比較的短い長さで板状の帯体、及び長い範囲で輪状に取囲まれるｖ溝を形成させると共に、該ｖ溝の下方部には容器本体内容物の取出し口が形成されるものとした構成である。
このさい、帯体の大きさは肉厚寸法を凡そ０．２ｍｍ〜０．５ｍｍで、且つその始端と後端長さ寸法を凡そ３ｍｍ〜２０ｍｍとなさしめるのであり、且つプルタブには指挿入孔を片端寄りに設け、該指挿入孔の下方底面箇所に対しピンチオフによる板状の帯体が形成されるものとするのであり、また取出し口部は帯体の始端と後端を頂点とする概略三角形状の開放孔に形成されるものとする。
【発明の効果】
【０００７】
本発明は、ボトル形状であっても缶型と同様に、その胴体部と同等の大きさをなした水平面を天頂面に形成したものとなし、且つ上記水平面に対して比較的大きくて飲み易いものとなる飲み口を効率の良いプルタブの引張り作用で極めて容易且つ適確に形成されるものとなすのであり、また従来品の問題点とされていたボイル殺菌時や輸送時等の内的或は外的要因により切り離し箇所に生じていた不測な引きちぎれやピンホールなどによる破損や漏洩などの問題点を解消することができる上で著効がある。
【発明を実施するための最良の形態】
【０００８】
図１は本発明品の正面図、図２は同中央断面図、図３は上記の使用に於ける正面図、図４は図１の一点鎖線分の拡大説明図である。
各図に於いて１はブロー成形された合成樹脂製の容器本体であって、１Ａは頭頂部、１Ｂは胴体部、１Ｃは尾底部である。ここに、合成樹脂はポリエチレン樹脂やポリプロピレン樹脂であり、また容器の大きさは凡そ２００ｃｃ〜７００ｃｃの範囲のものとなされる。
【０００９】
本発明に於いて頭頂部１Ａには、飲用のさいに引張って飲み口を形成させるプルタブ２が設けてあり、該プルタブ２は頭頂部１Ａの水平となされた天頂面１ａの直径方向を跨ぐ垂直方向へ立設状態に取付けたものとなされる。このさい、本発明では上記プルタブ２をそのブロー成形のさいに、水平な天頂部１ａの片端から直径方向の他端を跨ぐように立設させるのであって、且つ該プルタブ２の下面部にはブロー成形時ピンチオフによる比較的短い長さで板状の帯体３と、長い範囲で輪状に取囲まれるｖ溝４の形成されるものとする。
【００１０】
ところで、上記ピンチオフによる板状の帯体３は一般的にその肉厚寸法及び高さ寸法を凡そ０．２ｍｍ〜０．５ｍｍで、且つ始端ｍから後端ｎに到る長さ寸法を凡そ３ｍｍ〜２０ｍｍとなさしめるのであり、他方ｖ溝４はこれに引続いて残りの長さ範囲で輪状に取囲まれるように形成されるものとする。而して、該ｖ溝４の下方部に対し次述する容器本体内容物の取出し口５が形成されるものとなるのであり、該取出し口５は水平な天頂面１ａの直径方向で少なくとも２／３程度を占める範囲となるように大きく設計される。
【００１１】
６はプルタブ２の片側に寄せて穿設した指の挿入孔であって、該挿入孔６の下方箇所に於ける容器本体１Ｂの首部水平面１ａとの連結部に対し、上記寸法となした板状の帯体３が形成されるものとなされるのであり、而してプルタブ２はその指挿入孔６付近を手指に持ったり、人指し指で引掛けて矢印方向へ引起すことにより、該プルタブ２を容器本体１Ｂの首部水平面１ａから引きちぎるようになすのであり、そのさいプルタブ２は先ず帯体２の始端ｍから引きちぎられ、その後端ｎからはｖ溝４に沿って輪状に引きちぎられて行き、下方に取出し口５が大きく開口されるものとなる。
【００１２】
図５Ａ，Ｂは上記に於けるプルタブ２を矢印方向へ引張って、引きちぎり作用の行われる状態を示すものであり、図６は開口された取出し口５の平面図である。
【００１３】
本発明に係るブロー成形容器は、上記頭頂部１Ａの構成が板状の帯体３を備えたものとなしてあることにより、従来品に比べて大きく相違するのであり、その他の構成、即ち容器本体１Ｂを含む尾底部１Ｃの構成は従来品のものと変りがない。図面で７は内容物の注入口であり、内容物の注入は該部を上方となるようにして行うのであり、注入後は該部を挟むように熱圧着してシールＰを行い、且つ該シール後は該尾底部１ｃは図３に示す如く容器本体１Ｂ内へ押込んで製品形態となすのである。
【００１４】
本発明に於ける板状の帯体３は、ｖ溝４が不測の事態で簡単に引き離されれないようにするためである。即ちプルタブ２の引張りにより簡単に取出し口５が形成されるようになすためには、常識的にｖ溝４の切り込みを深く且つ薄くすればする程容易に行えるものとなるが、このようにしたものでは内容物の充填後のボイル殺菌時或は輸送時などの取扱い中にピンホールや不測な引きちぎれなどがが生じたりするのであるが、本発明品の如く帯体３を形成させたものでは斯有る問題点を防止できる上で著効がある。
このことは、具体的に言って上記帯体３が不測に生ずる内的或は外的要因による引離し力を、その取付け箇所で確実な係止状態とするためである。従って、本発明品では該帯体３が先ず引きちぎられるものとならない限り、開放口５が形成されるものとならないのである。而して、上記帯体３のｍ〜ｎの長さ寸法は任意に設定するものであるが、容器本体の大きいものに対しては、比較的長くなるように安全に設計するのである。
【００１５】
上記実施例ではプルタブ２に指挿入孔６を設けたものについて説明したが、掴み易い他のものとすることができる。また、容器本体１をその上方に肩部の形成されるボトル形状のものについて説明したが、缶形状のものであっても差支えなく、本発明の技術的範囲とする。
【図面の簡単な説明】
【００１６】
【図１】本発明に係るブロー成形品の正面図である。
【図２】同中央断面図である。
【図３】上記成型品の使用に於ける正面図である。
【図４】図１の一点鎖線部分の拡大説明図である。
【図５】Ａ，Ｂはプルタブを引張る引きちぎり作用説明図である。
【図６】プルタブを引きちぎって露出した取出し口を示す平面図である。
【符号の説明】
【００１７】
１      容器本体
１Ａ    頭頂部
１Ｂ    胴体部
１Ｃ    尾底部
２      プルタブ
３      帯体
４      ｖ溝
５      取出し口
６      指挿入孔
【図１】
2005170392.tif 000003
【図２】
2005170392.tif 000004
【図３】
2005170392.tif 000005
【図４】
2005170392.tif 000006
【図５】
2005170392.tif 000007
【図６】
2005170392.tif 000008